(57)【要約】【課題】運搬や保管が容易で、水嚢内への水の注入が簡単で、丈夫で、且つ、例えば、大雨や河川等が氾濫したような場合に、浸水を確実に防止したり、また、例えば、護岸工事をする際に、河川等を、一時的に、確実に、堰き止めしたりするような場合に好適な水嚢を提供する。【解決手段】複数の袋部２・・・が連接されており、複数の袋部２・・・の各々は、相隣り合う袋部２と袋部２との接合部２ｃに給水孔ｈ１を備えており、複数の袋部２・・・の中、少なくとも、一方端ｅ２ａに位置する袋部２には、水を注入する注水孔ｈ２が設けられており、一方端ｅ２ａに位置する袋部２の注水孔ｈ２から、一方端ｅ２ａに位置する袋部２内に水を注入すると、連接されている複数の袋部２・・・の各々に、相隣り合う袋部２と袋部２との接合部２ｃに設けられている給水孔ｈ１を介して、水が注入されるようになっている。【選択図】  図１
2008025097.tif 000002
【特許請求の範囲】
【請求項１】
複数の袋部が連接されており、
前記複数の袋部の各々は、相隣り合う袋部と袋部との接合部に給水孔を備えており、
前記複数の袋部の中、少なくとも、一方端に位置する袋部には、水を注入する注水孔が設けられており、
前記一方端に位置する袋部の注水孔から、前記一方端に位置する袋部内に水を注入すると、連接されている複数の袋部の各々に、相隣り合う袋部と袋部との接合部に設けられている給水孔を介して、水が注入されるようになっている、水嚢。
【請求項２】
前記複数の袋部の、相隣り合う袋部と袋部との接合部に給水孔の各々には、前記一方端に位置する袋部と反対側の接合部の表面側に、給水孔に対して、開閉可能なように、弁体が設けられている、請求項１に記載の水嚢。
【請求項３】
複数の袋部の、相隣り合う袋部と袋部との接合部を貫通する、スリット状の孔部が設けられている、請求項１に記載の水嚢。
【請求項４】
前記スリット状の孔部内に、前記複数の袋部の、相隣り合う袋部と袋部との接合部よりも、やや長い長さを有する、シート部材を２つ折にし、その長さ方向の一対の端部を封止したスリット状の貫通孔を有する袋状部材を、その一方の先端が、前記複数の袋部の、相隣り合う袋部と袋部との接合部の下流側部から、前記複数の袋部の、相隣り合う袋部の下流側に位置する袋部側にはみ出すように設けた、請求項３に記載の水嚢。
【請求項５】
前記複数の袋部の中、他方端に位置する袋部の下方位置に、水抜き弁を備える、請求項１〜４のいずれかに記載の水嚢。
【請求項６】
前記複数の袋部の各々には、底面部が設けられており、前記複数の袋部の各々は、前記複数の袋部の各々内に、水が注入されると、前記複数の袋部の各々が、立設するようになっている、請求項１〜５のいずれかに記載の水嚢。
【請求項７】
前記複数の袋部の各々の下位置には、接合部を介して、複数の浮き上がり防止のための袋部の各々が設けられており、
前記複数の浮き上がり防止のための袋部は、連接されており、
前記複数の浮き上がり防止のための袋部の各々は、相隣り合う袋部と袋部との接合部に給水孔を備えており、
前記複数の袋部の中、少なくとも、一方端に位置する袋部と、前記一方端に位置する袋部の下位置に設けられている浮き上がり防止のための袋部との間に設けられている接合部には、一方端に位置する袋部内に注入された水を、前記一方端に位置する袋部の下位置に設けられている浮き上がり防止のための袋部内に注水する注水孔が設けられており、
前記一方端に位置する袋部の注水孔から、前記一方端に位置する袋部内に水を注入すると、連接されている複数の袋部の各々に、相隣り合う袋部と袋部との接合部に設けられている給水孔を介して、水が注入されるようになっており、且つ、
前記複数の浮き上がり防止のための袋部の各々に、前記一方端に位置する袋部と、前記一方端に位置する袋部の下位置に設けられている浮き上がり防止のための袋部との間に設けられている接合部に設けられている注水孔、及び、相隣り合う、浮き上がり防止のための袋部と浮き上がり防止のための袋部との接合部に設けられている給水孔を介して、水が注入されるようになっている、請求項１〜５のいずれかに記載の水嚢。
【請求項８】
前記複数の袋部の各々と前記複数の浮き上がり防止のための袋部の各々との接合部には、前記複数の浮き上がり防止のための袋部の各々内へ、外部から水を注入する注水孔を備える、請求項７に記載の水嚢。
【請求項９】
前記複数の浮き上がり防止のための袋部の中、他方端に位置する浮き上がり防止のための袋部の下方位置に、水抜き弁を備える、請求項７又は請求項８に記載の水嚢。
【請求項１０】
前記複数の袋部の中、少なくとも、一方端に位置する袋部に設けられている、水を注入する注水孔が、前記袋部の上部に形成されている封止部に、上下方向に、貫通するスリット状の孔部である、請求項１〜９のいずれかに記載の水嚢。
【請求項１１】
前記スリット状の孔部内に、前記袋部の上部に形成されている封止部よりも、やや長い長さを有する、シート部材を２つ折にし、その長さ方向の一対の端部を封止したスリット状の貫通孔を有する袋状部材を、その下端が、前記袋部の上部に形成されている封止部の下端から下方にはみ出すように設けた、請求項１０に記載の水嚢。
【発明の詳細な説明】
【技術分野】
【０００１】
本発明は、水嚢に関し、特に、運搬や保管が容易で、水嚢内への水の注入が簡単で、丈夫で、且つ、例えば、大雨や河川等が氾濫したような場合に、浸水を確実に防止したり、また、例えば、護岸工事をする際に、河川等を、一時的に、確実に、堰き止めしたりするような場合に好適な水嚢に関する。
【背景技術】
【０００２】
従来、例えば、大雨や河川が氾濫したような場合に、浸水を防止したり、また、例えば、護岸工事をする際に、川を一時的に堰き止めしたりするような場合には、一般に、土嚢が用いられている。
【０００３】
しかしながら、土嚢を使用した場合、袋が破れるなどし、袋内の土が、流出すると、河川等を、汚すことになる。
【０００４】
一方、土嚢の代わりに、防災用ウォータフェンスや、水嚢が、既に、提案されている。
【０００５】
防災用ウォータフェンスや、水嚢は、袋が破れるなどした場合には、袋内の水が、流出するだけであるので、河川等を、汚す危険性がない。
【０００６】
図２２（ａ）は、従来の防災用ウォータフェンスの一例を概略的に示す斜視図であり、図２２（ｂ）は、図２２（ａ）は、従来の防災用ウォータフェンスに用いられている、台形に成型された鋼線を例示的に示す正面図であり、また、図２２（ｃ）は、図２０（ａ）中、ＸＸＩＩ−ＸＸＩＩ線に従う模式的な断面図である。
【０００７】
この防災用ウォータフェンス１０１は、ターポリン等の防水シート製の、注水口１０３と排出口１０４付きの水嚢本体１０２の胴部外部定間隔に台形に成型された多数の鋼線１０６を配置することによって、水嚢本体１０２の満タン時に、内部水圧によって胴部の膨らみが断続的に拘束されて断面形状の底部接地面積が大となり、かつ、高さの保持が可能となり、止水性能と外部水圧に対する阻止力を高め、且つ、底面に止水マット１０８を載置して路面の凹凸や目地の止水を可能に形成するようにしている。
【０００８】
また、図２３は、従来の水嚢の一例を概略的に示す図であり、図２３（ａ）は、従来の水嚢の一例を概略的に示す平面図であり、図２３（ｂ）は、図２３（ａ）中、ＸＸＩＩＩ−ＸＸＩＩＩ線に従う模式的な断面図である。
【０００９】
また、図２４は、図２３に示す、水嚢を概略的に示す斜視図であり、図２５は、図２４中、ＸＸＶ−ＸＸＶ線に従う概略的な断面図であり、また、図２６は、図２４に示す、水嚢の使用例を例示的に説明する断面図である。
【００１０】
この水嚢２０１は、袋本体２０２に対して、注水孔２０３を介して、水道水或いは止水対象である水を注入し、凹所２０２ａが複数条形成された水嚢２０１を形成し、この水嚢２０１を他の水嚢２０１の凸部が凹所に位置するようにして積み上げて、水嚢２０１相互を係合させて堰を形成し、この堰により止水するようにしている。
【００１１】
尚、図２３及び図２５の各々中に示す、部材２０４は、凹所形成手段を示しており、また、図２３及び図２４の各々中に示す、部材２０３は、注水孔を示している。
【特許文献１】特開２００４−１８３４５１号公報
【特許文献２】特開２００５−２３６２７号公報
【発明の開示】
【発明が解決しようとする課題】
【００１２】
しかしながら、図２３に示す、防災用ウォータフェンス１０１は、水嚢本体１０２として、大型のものを用いているので、水嚢本体１０２が破れた場合に、水嚢本体１０２内の大量の水が、水嚢本体１０２外へ流出したり、水が、水嚢本体１０２外へ流出した結果、水嚢本体１０２がしぼみ、防災機能が低下したりする、という問題がある。
【００１３】
また、図２３に示す、防災用ウォータフェンス１０１は、台形に成型された多数の鋼線１０６、固定カバー１０５、路面又は路盤１０７、固定用ヒレ部１０９、杭１１１等の部材を用いているので、運搬や保管の際の利便性に問題がある。
【００１４】
また、図２４に示す、水嚢２０１・・・は、各々が、独立しているので、複数個の水嚢２０１・・・の各々に、水を注入しなければならず、複数個の水嚢２０１・・・の各々内に、水を注入する作業に手間がかかる、という問題がある。
【００１５】
また、図２４に示す、水嚢２０１・・・は、各々が、独立しており、水嚢２０１の凸部又は凹部２０２ａと、他の水嚢２０１の凹部２０２ａ又は凸部とを嵌合させて、堰にしているだけなので、水嚢２０１の凸部又は凹部２０２ａと、他の水嚢２０１の凹部２０２ａ又は凸部との嵌合が外れと、水嚢２０１・・・が、バラバラになる、という問題、即ち、機械的強度が弱い、という問題がある。
【００１６】
また、一般に、水嚢は、土嚢に比べ、水の比重に近いため、底部が、浮き上がりやすく、そこから、川等の水が漏れ出し易い、という問題がある。
【００１７】
本発明は、以上のような問題を解決するためになされたものであって、運搬や保管が容易で、水嚢内への水の注入が簡単に行え、丈夫で、且つ、例えば、大雨や河川が氾濫したような場合に、浸水を防ぐ必要のある場所の、浸水を確実に防止したり、また、例えば、護岸工事をする際に、川を、一時的に、確実に、堰き止めしたりするような場合に好適な水嚢を提供することにある。
【課題を解決するための手段】
【００１８】
請求項１に記載の水嚢は、複数の袋部が連接されており、複数の袋部の各々は、相隣り合う袋部と袋部との接合部に給水孔を備えており、複数の袋部の中、少なくとも、一方端に位置する袋部には、水を注入する注水孔が設けられており、一方端に位置する袋部の注水孔から、一方端に位置する袋部内に水を注入すると、連接されている複数の袋部の各々に、相隣り合う袋部と袋部との接合部に設けられている給水孔を介して、水が注入されるようになっている。
【００１９】
請求項２に記載の水嚢は、請求項１に記載の水嚢の、複数の袋部の、相隣り合う袋部と袋部との接合部に給水孔の各々には、一方端に位置する袋部と反対側の接合部の表面側に、給水孔に対して、開閉可能なように、弁体が設けられている。
【００２０】
請求項３に記載の水嚢は、請求項１に記載の水嚢の、複数の袋部の、相隣り合う袋部と袋部との接合部を貫通する、スリット状の孔部が設けられている。
【００２１】
請求項４に記載の水嚢は、請求項３に記載の水嚢の、スリット状の孔部内に、複数の袋部の、相隣り合う袋部と袋部との接合部よりも、やや長い長さを有する、シート部材を２つ折にし、その長さ方向の一対の端部を封止したスリット状の貫通孔を有する袋状部材を、その一方の先端が、複数の袋部の、相隣り合う袋部と袋部との接合部の下流側部から、複数の袋部の、相隣り合う袋部の下流側に位置する袋部側にはみ出すように設けた。
【００２２】
請求項５に記載の水嚢は、請求項１〜４のいずれかに記載の水嚢が、複数の袋部の中、他方端に位置する袋部の下方位置に、水抜き弁を備える。
【００２３】
請求項６に記載の水嚢は、請求項１〜５のいずれかに記載の水嚢の、複数の袋部の各々には、底面部が設けられており、複数の袋部の各々は、複数の袋部の各々内に、水が注入されると、前記複数の袋部の各々が、立設するようになっている。
【００２４】
請求項７に記載の水嚢は、請求項１〜５のいずれかに記載の水嚢の、複数の袋部の各々の下位置には、接合部を介して、複数の浮き上がり防止のための袋部の各々が設けられており、複数の浮き上がり防止のための袋部は、連接されており、複数の浮き上がり防止のための袋部の各々は、相隣り合う袋部と袋部との接合部に給水孔を備えており、複数の袋部の中、少なくとも、一方端に位置する袋部と、前記一方端に位置する袋部の下位置に設けられている浮き上がり防止のための袋部との間に設けられている接合部には、一方端に位置する袋部内に注入された水を、一方端に位置する袋部の下位置に設けられている浮き上がり防止のための袋部内に注水する注水孔が設けられており、一方端に位置する袋部の注水孔から、一方端に位置する袋部内に水を注入すると、連接されている複数の袋部の各々に、相隣り合う袋部と袋部との接合部に設けられている給水孔を介して、水が注入されるようになっており、且つ、複数の浮き上がり防止のための袋部の各々に、一方端に位置する袋部と、一方端に位置する袋部の下位置に設けられている浮き上がり防止のための袋部との間に設けられている接合部に設けられている注水孔、及び、相隣り合う、浮き上がり防止のための袋部と浮き上がり防止のための袋部との接合部に設けられている給水孔を介して、水が注入されるようになっている。
【００２５】
請求項８に記載の水嚢は、請求項７に記載の水嚢が、複数の袋部の各々と複数の浮き上がり防止のための袋部の各々との接合部には、複数の浮き上がり防止のための袋部の各々内へ、外部から水を注入する注水孔を備える。
【００２６】
請求項９に記載の水嚢は、請求項７又は請求項８に記載の水嚢が、複数の浮き上がり防止のための袋部の中、他方端に位置する浮き上がり防止のための袋部の下方位置に、水抜き弁を備える。
【００２７】
請求項１０に記載の水嚢は、請求項１〜９のいずれかに記載の水嚢の、複数の袋部の中、少なくとも、一方端に位置する袋部に設けられている、水を注入する注水孔が、袋部の上部に形成されている封止部に、上下方向に、貫通するスリット状の孔部である。
【００２８】
請求項１１に記載の水嚢は、請求項１０に記載の水嚢の、スリット状の孔部内に、袋部の上部に形成されている封止部よりも、やや長い長さを有する、シート部材を２つ折にし、その長さ方向の一対の端部を封止したスリット状の貫通孔を有する袋状部材を、その下端が、前記袋部の上部に形成されている封止部の下端から下方にはみ出すように設けた。
【発明の効果】
【００２９】
請求項１に記載の水嚢は、複数の袋部を連接するという構成を採用しているので、運搬や保管の際には、ロール状に巻き取って、運搬や保管することができるので、台形に成型された多数の鋼線を用いるような防災用ウォータフェンスに比べ、運搬や保管の利便性に、優れている。
【００３０】
また、この水嚢は、複数の袋部を有しているので、大型の袋部を有するものに比べ、ある袋部が破れたような場合であっても、大型の水嚢が破れたような場合に比べ、全体としての水嚢がしぼみ難い。
【００３１】
即ち、この水嚢は、複数の袋部を有しているので、ある袋部が破れたような場合であっても、防災機能が低下し難い。
【００３２】
また、この水嚢では、複数の袋部を連接しているので、独立した複数の袋を、嵌合構造を用いて、堰のようにする水嚢に比べ、丈夫である（機械的強度が高い）。
【００３３】
且つ、この水嚢では、相隣り合う袋部と袋部との接合部に給水孔を備えており、複数の袋部の中、少なくとも、一方端に位置する袋部には、水を注入する注水孔が設けられており、一方端に位置する袋部の注水孔から、一方端に位置する袋部内に水を注入すると、連接されている複数の袋部の各々に、相隣り合う袋部と袋部との接合部に設けられている給水孔を介して、水が注入されるようになっているので、独立した複数の袋の各々に水を注入するようにしている水嚢に比べ、水嚢（複数の袋部）内への、水の注入を簡単に行える。
【００３４】
請求項２に記載の水嚢では、複数の袋部の、相隣り合う袋部と袋部との接合部に給水孔の各々には、一方端に位置する袋部と反対側の接合部の表面側に、給水孔に対して、開閉可能なように、弁体を設けているので、複数の袋部の一方端（上流側）から他方端（下流側）への水の注入を、スムーズに行うことができ、且つ、例えば、複数の袋部の一方端（上流側）から他方端（下流側）の間のある袋部が破れた場合であっても、破れた袋部よりも他方端（下流側）の袋部内の水が破れた袋部を介して外に流出するという事態が、弁体が閉じることによって阻止される。
【００３５】
この結果、この水嚢は、ある袋部が破れたような場合であっても、防災機能が低下し難い。
【００３６】
請求項３に記載の水嚢は、複数の袋部の、相隣り合う袋部と袋部との接合部を貫通する、スリット状の孔部を形成しているので、複数の袋部の一方端（上流側）から他方端（下流側）への水の注入を、スムーズに行うことができる。
【００３７】
請求項４に記載の水嚢は、複数の袋部の、相隣り合う袋部と袋部との接合部を貫通する、スリット状の孔部内に、複数の袋部の、相隣り合う袋部と袋部との接合部よりも、やや長い長さを有する、シート部材を２つ折にし、その長さ方向の一対の端部を封止したスリット状の貫通孔を有する袋状部材を、その一方の先端が、複数の袋部の、相隣り合う袋部と袋部との接合部の下流側部から、複数の袋部の、相隣り合う袋部の下流側に位置する袋部側にはみ出すように設けているので、複数の袋部の一方端（上流側）から他方端（下流側）への水の注入は、スムーズに行うことができ、且つ、例えば、複数の袋部の一方端（上流側）から他方端（下流側）の間のある袋部が破れた場合であっても、袋状部材のスリット状の孔部内に挿入され、その一方の先端が、複数の袋部の、相隣り合う袋部と袋部との接合部の下流側部から、複数の袋部の、相隣り合う袋部の下流側に位置する袋部側にはみ出すように設けられている部分が閉じた状態になり、その結果、注水孔が確実に閉じた状態になり、注水孔が、止水機能の高い、止水弁として機能を発揮する。
【００３８】
請求項５に記載の水嚢は、複数の袋部の中、他方端に位置する袋部の下方位置に、水抜き弁を備えているので、複数の袋部の各々内に、水を入れ、水嚢として使用した後、この水嚢を片付ける際に、複数の袋部の中、他方端に位置する袋部の下方位置に設けられている、水抜き弁を開くことにより、複数の袋部の各々内に収容されている水を、複数の袋部の各々内から容易に排出することができる。
【００３９】
請求項６に記載の水嚢は、複数の袋部の各々に、底面部を設け、複数の袋部の各々内に、水を注入すると、複数の袋部の各々が、立設するようになっているので、浸水等を防ぐ必要のある場所を囲うように水嚢を設けることができる。
【００４０】
この結果、この水嚢を使用すれば、浸水等を防ぐ必要のある場所の、浸水を確実に防止することができる。
【００４１】
請求項７に記載の水嚢は、複数の袋部の各々の下位置に、接合部を介して、複数の浮き上がり防止のための袋部の各々を設けているので、例えば、河川等の水を堰き止めする際に、複数の浮き上がり防止のための袋部の各々を、河川等に、河川等の水の流れに対し、上流側に、張出すように設置し、複数の浮き上がり防止のための袋部の各々内に、水を注入し、更に、必要により、河川等に、河川等の水の流れに対し、上流側に、張出すように設置し、且つ、水を注入した複数の浮き上がり防止のための袋部の各々の上に、石その他の重しを載せる等すれば、水嚢の底面と、河川等の川床との間を介して、河川等の水が、水嚢の下流側に漏れ出すことを確実に防ぐことができる。
【００４２】
且つ、この水嚢では、複数の袋部の中、少なくとも、一方端に位置する袋部と、一方端に位置する袋部の下位置に設けられている浮き上がり防止のための袋部との間に設けられている接合部には、一方端に位置する袋部内に注入された水を、一方端に位置する袋部の下位置に設けられている浮き上がり防止のための袋部内に注水する注水孔を設けおり、一方端に位置する袋部の注水孔から、一方端に位置する袋部内に水を注入すると、連接されている複数の袋部の各々に、相隣り合う袋部と袋部との接合部に設けられている給水孔を介して、水が注入されるようになっており、且つ、複数の浮き上がり防止のための袋部の各々に、一方端に位置する袋部と、一方端に位置する袋部の下位置に設けられている浮き上がり防止のための袋部との間に設けられている接合部に設けられている注水孔、及び、相隣り合う、浮き上がり防止のための袋部と浮き上がり防止のための袋部との接合部に設けられている給水孔を介して、水が注入されるようになっているので、一箇所からの注水作業で、複数の袋部の各々内及び複数の浮き上がり防止のための袋部の各々内への水の注入ができるので、複数の袋部の各々内及び複数の浮き上がり防止のための袋部の各々内への水の注入作業を容易に行うことができる。
【００４３】
請求項８に記載の水嚢は、複数の袋部の各々と複数の浮き上がり防止のための袋部の各々との接合部に、複数の浮き上がり防止のための袋部のいずれか内へ、外部から水を注入する注水孔を更に設けているので、複数の浮き上がり防止のための袋部の各々内への一方端に位置する袋部と、一方端に位置する袋部の下位置に設けられている浮き上がり防止のための袋部との間に設けられている接合部に設けられている注水孔、及び、相隣り合う、浮き上がり防止のための袋部と浮き上がり防止のための袋部との接合部に設けられている給水孔を介する水の注入が不十分な際には、複数の袋部の各々と複数の浮き上がり防止のための袋部の各々との接合部に設けられている、複数の浮き上がり防止のための袋部の各々内に、外部から水を注入する注水孔を利用して、複数の浮き上がり防止のための袋部の各々の中、水の注入が十分でない袋部内に、水を注入することができる。
【００４４】
請求項９に記載の水嚢は、複数の浮き上がり防止のための袋部の中、他方端に位置する浮き上がり防止のための袋部の下方位置に、水抜き弁を備えているので、複数の袋部の各々内及び複数の浮き上がり防止のための袋部の各々内に、水を入れ、水嚢として使用した後、この水嚢を片付ける際に、複数の浮き上がり防止のための袋部の中、他方端に位置する、浮き上がり防止のための袋部の下方位置に設けられている、水抜き弁を開くことにより、複数の袋部の各々内及び複数の浮き上がり防止のための袋部の各々内に収容されている水を、複数の袋部の各々内から容易に排出することができる。
【００４５】
請求項１０に記載の水嚢は、袋部の上部に形成されている封止部に、上下方向に、貫通するスリット状の孔部を形成しているので、例えば、ホース（図示せず。）を挿入するという簡単な操作で、袋部内への水の注入が行うことができ、且つ、袋部内に水を注入すると、注水孔が閉じた状態になり、注水孔は、止水弁として機能する。
【００４６】
請求項１１に記載の水嚢は、袋部に設けられている注水孔が、スリット状の孔部内に、袋部の上部に形成されている封止部よりも、やや長い長さを有する、シート部材を２つ折にし、その長さ方向の一対の端部を封止したスリット状の貫通孔を有する袋状部材を、その下端が、袋部の上部に形成されている封止部の下端から下方にはみ出すように設けた構造にしているので、スリット状の貫通孔を有する袋状部材に、例えば、ホース（図示せず。）を挿入するという簡単な操作で、袋部２内への水の注入が行え、且つ、袋部内に水を注入すると、袋状部材の袋部の上部に形成されている封止部に設けられている、スリット状の孔部内に挿入され、その下端が、袋部の上部に形成されている封止部の下端から下方にはみ出すように設けられている部分が閉じた状態になり、その結果、注水孔が確実に閉じた状態になり、注水孔が、止水機能の高い、止水弁として機能を発揮する。
【発明を実施するための最良の形態】
【００４７】
以下、本発明に係る水嚢の一例について、図面を参照しながら、更に、詳しく説明する。
（実施例１）
図１は、本発明に係る水嚢の一例を概略的に示す正面図であり、図２は、図１に示す水嚢を、運搬又は保管する際の状態を、模式的に示す斜視図である。
【００４８】
この水嚢１は、複数の袋部２・・・を連接して構成されている。
【００４９】
図３は、水嚢１の構造を、複数の袋部２・・・の各々を膨らませた状態で、その上方向から下方向に見た状態を摸式的に示す平面図である。
【００５０】
複数の袋部２・・・の各々は、相隣り合う袋部２と袋部２との間に接合部２ｃ・・・を備える。
【００５１】
接合部２ｃ・・・の各々は、給水孔ｈ１・・・を備える。
【００５２】
また、複数の袋部２・・・の中、少なくとも、一方端ｅ２ａに位置する袋部２には、水を注入する注水孔ｈ２が設けられている。
【００５３】
この水嚢１では、一方端ｅ２ａに位置する袋部２内に注水孔ｈ２から水を注入すると、連接されている複数の袋部２・・・の各々に、相隣り合う袋部２と袋部２との接合部２ｃ・・・の各々に設けられている給水孔ｈ１・・・を介して、水が注入されるようになっている。
【００５４】
複数の袋部２・・・は、特に、以下の場合に限定されることはないが、例えば、ターポリン、塩化ビニル、ポリエチレンその他の樹脂、防水を施した布、樹脂中に繊維を分散させたような樹脂と繊維との複合材料などで製される。
【００５５】
次に、複数の袋部２・・・の各々の上部に形成されている封止部の構造について説明する。
【００５６】
封止部２ａ・・・は、袋部２を形成する２枚の側面シート部材Ｓ２ａ、Ｓ２ｂの上部の一定範囲の部分を、例えば、接着剤を用いて貼り合わせることにより形成したり、又は、袋部２を形成する２枚の側面シート部材Ｓ２ａ、Ｓ２ｂの上部の一定範囲の部分を、例えば、熱融着することにより形成したりする。
【００５７】
図４は、複数の袋部２・・・の各々に設けられている注水孔ｈ２及びその周辺部を、概略的に示す図であり、図４（ａ）は、複数の袋部２・・・の各々に設けられている注水孔及びその周辺部を、上方向から下方向に見た状態を概略的に示す平面図であり、また、図４（ｂ）は、図４（ａ）に示す、複数の袋部２・・・の各々に設けられている注水孔及びその周辺部を、概略的に示す斜視図である。
【００５８】
この例では、複数の袋部２・・・の各々に設けられている注水孔ｈ２は、図４（ａ）及び図４（ｂ）の各々に示すように、複数の袋部２・・・の各々の上部に形成されている封止部２ａの一部を封止めしないようにすることで、複数の袋部２・・・の各々の上部に形成されている封止部に、上下方向に、貫通するスリット状の孔部により、形成している。
【００５９】
複数の袋部２・・・の各々に、図４（ａ）及び図４（ｂ）に示す、注水孔ｈ２を設けた場合、注水孔ｈ２に、例えば、ホース（図示せず。）を挿入するという簡単な操作で、袋部２内への水の注入が行える。
【００６０】
また、複数の袋部２・・・の各々に、図４（ａ）及び図４（ｂ）に示す、注水孔ｈ２を設けた場合、袋部２内に水を注入すると、注水孔ｈ２が閉じた状態になり、注水孔ｈ２は、止水弁として機能する。
【００６１】
また、この水嚢１のように、複数の袋部２・・・の各々に注水孔ｈ２・・・を設けた場合には、一端部ｅ２ａに位置する袋部２の注水孔ｈ２から複数の袋部２・・・の各々内に水を注入する際に、一端部ｅ２ａに位置する袋部２の次に位置する袋部２から他端部ｅ２ｂに位置する袋部２の各々に設けられている注水孔ｈ２は、最初は、空気抜き孔として機能し、各々の袋部２・・・内に水が注入されると、閉じた状態になり、止水弁として機能する。
【００６２】
また、この水嚢１のように、複数の袋部２・・・の各々に注水孔ｈ２・・・を設けた場合には、一端部ｅ２ａに位置する袋部２の注水孔ｈ２から複数の袋部２・・・の各々内に水を注入する際に、複数の袋部２・・・のいずれかへの水の注入が十分でないような場合には、水の注入が十分でない袋部２に設けられている、注水孔ｈ２から、水の注入が十分でない袋部２内に、直接、水を追加注入することができる。
【００６３】
次に、複数の袋部２・・・の各々の上部に形成されている封止部の構造の他の一例について説明する。
【００６４】
図５は、複数の袋部２・・・の各々に設けられている注水孔の他の一例及びその周辺部を、概略的に示す斜視図である。
【００６５】
この例では、複数の袋部２・・・の各々に設けられている注水孔ｈ２ａは、図５に示すように、スリット状の孔部ｈ２内に、袋部２の上部に形成されている封止部よりも、やや長い長さを有する、シート部材を２つ折にし、その長さ方向の一対の端部を封止したスリット状の貫通孔を有する袋状部材Ｐ２を、その下端が、袋部２の上部に形成されている封止部２ａの下端から下方にはみ出すように設けられた構造になっている。
【００６６】
図６は、複数の袋部２・・・の各々に設けられている注水孔ｈ２ａの製造工程を模式的に説明する説明図である。
【００６７】
複数の袋部２・・・の各々に設けられている注水孔ｈ２ａを製造する際には、まず、袋部２・・・の各々の上部に形成されている封止部に設けるスリット状の孔部ｈ２の幅の２倍の幅に等しいかこれよりやや短い幅のシート部材Ｐ１を準備する（図６（ａ）を参照）。
【００６８】
次に、シート部材Ｓ１をその中心線Ｌｃに従って、２つ折りにする（図６（ｂ）を参照）。
【００６９】
その後、２つ折にしたシート部材Ｐ１を、その長さ方向の一対の端部を封止することで、スリット状の貫通孔を有する袋状部材Ｐ２を準備する（図６（ｃ）を参照）。
【００７０】
次に、スリット状の貫通孔を有する袋状部材Ｓ２を、袋部２・・・の各々の上部に形成されている封止部に設けるスリット状の孔部ｈ２内に挿入し、その下端が、袋部２の上部に形成されている封止部２ａの下端から下方にはみ出すように、例えば、接着剤を用いて接着止めしたり、又は、熱融着したりすることで、スリット状の孔部ｈ２内に取り付ける（図６（ｄ）を参照）。
【００７１】
複数の袋部２・・・の各々に、図５に示す、注水孔ｈ２ａを設けた場合、スリット状の貫通孔を有する袋状部材Ｐ２に、例えば、ホース（図示せず。）を挿入するという簡単な操作で、袋部２内への水の注入が行える。
【００７２】
また、複数の袋部２・・・の各々に、図５に示す、注水孔ｈ２ａを設けた場合、袋部２内に水を注入すると、袋状部材Ｐ２の、袋部２・・・の各々の上部に形成されている封止部２ａに設けられている、スリット状の孔部ｈ２内に挿入され、その下端が、袋部２の上部に形成されている封止部の下端から下方にはみ出すように設けられている部分が閉じた状態になり、その結果、注水孔ｈ２ａが確実に閉じた状態になり、注水孔ｈ２ａは、止水機能の高い、止水弁として機能する。
【００７３】
尚、図１中に示す部材ｖ１は、水抜き弁を示している。
【００７４】
この水抜き弁ｖ１は、常時、閉じた状態になっており、水抜き弁ｖ１内に、パイプ部材（図示せず。）のような水抜き手段を挿入すれば、開いた状態になるようにされている。
【００７５】
この水嚢１のように、複数の袋部２・・・の中、他方端ｅ２ｂに位置する袋部２の下方位置に、水抜き弁ｖ１を設けた場合には、複数の袋部２・・・の各々内に、水を入れ、水嚢として使用した後、この水嚢を片付ける際に、複数の袋部２・・・の中、他方端ｅ２ｂに位置する袋部２の下方位置に設けられている、水抜き弁ｖ１を開くことにより、複数の袋部２・・・の各々内に収容されている水を、複数の袋部２・・・の各々内から容易に排出することができる。
【００７６】
また、孔ｈ３は、例えば、この水嚢１を、河川等の堰として用いる場合に、横方向に設けられたパイプ部材８（図示せず。）に取付具（図示せず。）を用いて取り付ける際に使用する、吊るし孔を示している。
【００７７】
吊るし孔ｈ３・・・の各々には、通常、補強部材として、金属製又は樹脂製のリング体が取り付けられる。
【００７８】
次に、複数の袋部２・・・の、相隣り合う袋部２と袋部２との間に設けられている接合部２ｃ・・・の構造について説明する。
【００７９】
図７は、図１中、ＶＩＩ−ＶＩＩ線に従う概略的な断面図である。
【００８０】
この水嚢１では、相隣り合う袋部２と袋部２との間に設けられている接合部２ｃは、以下のような構成になっている。
【００８１】
即ち、この水嚢１では、一端側ｅ２ａ側に位置する袋部（図７中では、この袋部を袋部２ｎとして表している。）を構成する、２枚の側面シート部材Ｓ２ａｎ、Ｓ２ｂｎの中、一方の側面シート部材Ｓ２ａｎの終端部領域ＲＴＳ２ａｎを、一端側ｅ２ａ側に位置する袋部（図７中では、この袋部を袋部２ｎとして表している。）に相隣接する袋部（図７中では、この袋部を袋部２ｎ＋１として表している。）を構成する、２枚の側面シート部材Ｓ２ａｎ＋１、Ｓ２ｂｎ＋１の中、一方側の側面シート部材Ｓ２ａｎ＋１の外表面上に、特に以下の場合に限定されることはないが、例えば、接着剤を用いて、貼着したり、又は、熱融着したりする。
【００８２】
且つ、この水嚢１では、一端側ｅ２ａ側に位置する袋部（図７中では、この袋部を袋部２ｎとして表している。）を構成する、２枚の側面シート部材Ｓ２ａｎ、Ｓ２ｂｎの中、他方の側面シート部材Ｓ２ｂｎの終端部領域ＲＴＳ２ｂｎを、一端側ｅ２ａ側に位置する袋部（図７中では、この袋部を袋部２ｎとして表している。）を構成する、２枚の側面シート部材Ｓ２ａｎ、Ｓ２ｂｎの中、一方側の側面シート部材Ｓ２ａｎの内表面上に、特に以下の場合に限定されることはないが、例えば、接着剤を用いて、貼着したり、又は、熱融着したりする。
【００８３】
また、この水嚢１では、一端側ｅ２ａ側に位置する袋部（図７中では、この袋部を袋部２ｎとして表している。）に相隣接する袋部（図７中では、この袋部を袋部２ｎ＋１として表している。）を構成する、２枚の側面シート部材Ｓ２ａｎ＋１、Ｓ２ｂｎ＋１の中、他方の側面シート部材Ｓ２ｂｎ＋１の終端部領域ＲＴＳ２ｂｎ＋１を、一端側ｅ２ａ側に位置する袋部（図７中では、この袋部を袋部２ｎとして表している。）を構成する、２枚の側面シート部材Ｓ２ａｎ、Ｓ２ｂｎの中、他方側の側面シート部材Ｓ２ｂｎの外表面上に、特に以下の場合に限定されることはないが、例えば、接着剤を用いて、貼着したり、又は、熱融着したりする。
【００８４】
且つ、この水嚢１では、一端側ｅ２ａ側に位置する袋部（図７中では、この袋部を袋部２ｎとして表している。）に相隣接する袋部（図７中では、この袋部を袋部２ｎ＋１として表している。）を構成する、２枚の側面シート部材Ｓ２ａｎ＋１、Ｓ２ｂｎ＋１の中、一方の側面シート部材Ｓ２ａｎ＋１の終端部領域ＲＴＳ２ａｎ＋１を、一端側ｅ２ａ側に位置する袋部（図７中では、この袋部を袋部２ｎとして表している。）に相隣接する袋部（図７中では、この袋部を袋部２ｎ＋１として表している。）を構成する、２枚の側面シート部材Ｓ２ａｎ＋１、Ｓ２ｂｎ＋１の中、他方側の側面シート部材Ｓ２ｂｎ＋１の内表面上に、特に以下の場合に限定されることはないが、例えば、接着剤を用いて、貼着したり、又は、熱融着したりする。
【００８５】
そして、この水嚢１では、側面シート部材Ｓ２ｂｎの、側面シート部材Ｓ２ｂｎが側面シート部材Ｓ２ｂｎ＋１の終端部領域ＲＴＳ２ｂｎ＋１に貼着又は熱融着している部分から、側面シート部材Ｓ２ｂｎの、側面シート部材Ｓ２ｂｎが側面シート部材Ｓ２ａｎに貼着又は熱融着している終端部領域ＲＴＳ２ｂｎまでの部分と、側面シート部材Ｓ２ａｎ＋１の、側面シート部材Ｓ２ａｎ＋１が側面シート部材Ｓ２ａｎの終端部領域ＲＴＳ２ａｎに貼着又は熱融着している部分から、側面シート部材Ｓ２ａｎ＋１の、側面シート部材Ｓ２ａｎ＋１が側面シート部材Ｓ２ｂｎ＋１に貼着又は熱融着している終端部領域ＲＴＳ２ａｎ＋１までの部分とを、特に以下の場合に限定されることはないが、例えば、接着剤を用いて、貼着したり、又は、熱融着したりすることで、接合部２ｃを形成している。
【００８６】
また、この水嚢１では、以上のようにして形成した、接合部２ｃ・・・の各々に、給水孔ｈ１・・・を設けている。
【００８７】
また、図８は、接合部２ｃに設けられている給水孔ｈ１及びその周辺を概略的に示す斜視図であり、また、図９は、図８中、ＩＸ−ＩＸ線に従う概略的な断面図である。
【００８８】
図７、図８及び図９の各々に示すように、この水嚢１は、接合部２ｃに設けられている給水孔ｈ１に開閉可能なように弁体３を設けている。
【００８９】
弁体３は、図８に示すように、例えば、樹脂製のシート状部材で構成されており、この水嚢１では、弁体３は、給水孔ｈ１より大きい面積を有しており、水嚢１の接合部２ｃ・・・の各々の他方端ｅ２ｂ側の表面に、給水孔ｈ１よりも上の位置で、接合部２ｃ・・・の各々の表面に、特に以下の場合に限定されることはないが、例えば、接着剤を用いて、貼着したり、又は、熱融着したりされている。
【００９０】
この水嚢１は、複数の袋部２・・・を連接するという構成を採用し、運搬や保管の際には、ロール状に巻き取って、運搬や保管することができるようにしているので（図２を参照。）、図２２に示す、従来の、台形に成型された多数の鋼線等を用いるような防災用ウォータフェンス１０１に比べ、運搬や保管の利便性に、優れている。
【００９１】
また、この水嚢１は、複数の袋部２・・・を有しているので、図２２に示す、従来の、大型の袋部１０２を有する防災用ウォータフェンス１０１に比べ、ある袋部２が破れたような場合であっても、大型の水嚢１０２が破れたような場合に比べ、全体としての水嚢１がしぼみ難い。
【００９２】
即ち、この水嚢１は、複数の袋部２・・・を有しているので、ある袋部２が破れたような場合であっても、防災機能が低下し難い。
【００９３】
尚。複数の袋部２・・・の各々の大きさは、運搬や保存の利便性や、ある袋部２が破れたような場合であっても、防災機能が低下し難く、且つ、使用の利便性を考慮した場合、特に以下の場合に限定されることはないが、高さを１．５ｍ以上２ｍ以下、幅を、１．２ｍ以上１．５ｍ以下にすることが好ましい。
【００９４】
また、この水嚢１では、複数の袋部２・・・を連接しているので、図２３に示す、従来の、独立した複数の袋２０１を、嵌合構造を用いて、堰のようにする水嚢２０１に比べ（図２６を参照。）、丈夫である（機械的強度が高い）。
【００９５】
且つ、この水嚢１では、相隣り合う袋部２と袋部２との接合部２ｃに給水孔ｈ１を備えており、複数の袋部２・・・の中、少なくとも、一方端ｅ２ａに位置する袋部２には、水を注入する注水孔ｈ２が設けられており、一方端ｅ２ａに位置する袋部２の注水孔ｈ２から、一方端ｅ２ａに位置する袋部２内に水を注入すると、連接されている複数の袋部２・・・の各々に、相隣り合う袋部２と袋部２との接合部２ｃに設けられている給水孔ｈ１を介して、水が注入されるようになっているので、図２１に示す、独立した複数の袋２０１の各々に水を注入するようものに比べ、水嚢１（複数の袋部２・・・）内への、水の注入を簡単に行える。
【００９６】
更にまた、この水嚢１では、複数の袋部２・・・の、相隣り合う袋部２と袋部２との接合部２ｃに給水孔ｈ１の各々には、一方端ｅ２ａに位置する袋部２と反対側の接合部２ｃの表面側に、給水孔ｈ１に対して、開閉可能なように、弁体３を設けているので、複数の袋部２・・・の一方端ｅ２ａ（上流側）から他方端ｅ２ｂ（下流側）への水の注入は、スムーズに行うことができ、且つ、例えば、複数の袋部２・・・の一方端ｅ２ａ（上流側）から他方端ｅ２ｂ（下流側）の間の、ある袋部２が破れた場合であっても、破れた袋部２よりも他方端ｅ２ｂ（下流側）の袋部２・・・内の水が破れた袋部２を介して外に流出するという事態が、弁体３が閉じることによって阻止される。
【００９７】
この結果、この水嚢１は、ある袋部２が破れたような場合であっても、防災機能が低下し難い。
（実施例２）
図１０は、本発明に係る水嚢の他の一例を概略的に示す側面図である。
【００９８】
この水嚢１Ａは、連接されている袋部２・・・の各々に底面部Ｓｂを設けている以外は、水嚢１と同様の構成を備える。
【００９９】
図１１及び図１２は、図１０に示す水嚢１Ａの使用例を例示的に説明する斜視図である。
【０１００】
この水嚢１Ａは、複数の袋部２・・・の各々には、上述した通り、底面部Ｓｂが設けられており、複数の袋部２・・・の各々は、複数の袋部２・・・の各々内に、水が注入されると、図１１や、図１２に示すように、複数の袋部２・・・の各々が、立設するようになっている。
【０１０１】
即ち、この水嚢１Ａは、複数の袋部２・・・の各々に、底面部Ｓｂを設け、複数の袋部２・・・の各々内に、水を注入すると、複数の袋部２・・・の各々が、立設するようになっているので、例えば、図１２に示すように、浸水等を防ぐ必要のある場所を囲うように水嚢１Ａを設けることができる。
【０１０２】
この結果、この水嚢１Ａを使用すれば、浸水等を防ぐ必要のある場所の、浸水を確実に防止することができる。
（実施例３）
図１３は、本発明に係る水嚢の他の一例を概略的に示す正面図である。
【０１０３】
この水嚢１Ｂは、以下の構成以外は、水嚢１と同様の構成を備えるので、水嚢１Ｂの構成部材中、水嚢１の構成部材に相当する構成部材については、水嚢１の構成部材に付した参照符号を付して、その説明を省略する。
【０１０４】
この水嚢１Ｂは、水嚢１の、複数の袋部２・・・の各々の下位置に、更に、接合部４ｃを介して、複数の浮き上がり防止のための袋部４・・・の各々を備える。
【０１０５】
複数の浮き上がり防止のための袋部４・・・は、特に、以下の場合に限定されることはないが、例えば、ターポリン、塩化ビニル、ポリエチレンその他の樹脂、防水を施した布、樹脂中に繊維を分散させたような樹脂と繊維との複合材料などで製される。
【０１０６】
複数の浮き上がり防止のための袋部４・・・は、連接されており、複数の浮き上がり防止のための袋部４・・・の各々は、相隣り合う袋部４と袋部４との接合部５ｃに給水孔ｈ４を備える。
【０１０７】
複数の浮き上がり防止のための袋部４・・・は、特に、以下の場合に限定されることはないが、例えば、ターポリン、塩化ビニル、ポリエチレンその他の樹脂、防水を施した布、樹脂中に繊維を分散させたような樹脂と繊維との複合材料などで製される。
【０１０８】
また、この水嚢１Ｂは、複数の袋部２・・・の中、少なくとも、一方端ｅ２ａに位置する袋部２と、一方端ｅ２ａに位置する袋部２の下位置に設けられている浮き上がり防止のための袋部４との間に設けられている接合部４ｃに、一方端ｅ２ａに位置する袋部２内に注入された水を、一方端ｅ２ａに位置する袋部２の下位置に設けられている浮き上がり防止のための袋部４内に注水する注水孔ｈ５が設けられており、一方端ｅ２ａに位置する袋部２の注水孔ｈ２から、一方端ｅ２ａに位置する袋部２内に水を注入すると、連接されている複数の袋部２・・・の各々に、相隣り合う袋部２と袋部２との接合部２ｃに設けられている給水孔ｈ１を介して、水が注入されるようになっており、且つ、複数の浮き上がり防止のための袋部４・・・の各々に、一方端ｅ２ａに位置する袋部２と、一方端ｅ２ａに位置する袋部２の下位置に設けられている浮き上がり防止のための袋部４との間に設けられている接合部４ｃに設けられている注水孔ｈ５、及び、相隣り合う、浮き上がり防止のための袋部４と浮き上がり防止のための袋部４との接合部５ｃに設けられている給水孔ｈ４を介して、水が注入されるようになっている。
【０１０９】
尚、接合部５ｃの構造は、接合部２ｃの構造と同様になっている。
【０１１０】
また、接合部４ｃに設けられている注水孔ｈ５は、接合部２ａに設けられている注水孔ｈ２と同様の構成になっている。
【０１１１】
尚、図１３中に示す部材ｖ２は、水抜き弁を示している。
【０１１２】
この水抜き弁ｖ２は、常時、閉じた状態になっており、水抜き弁ｖ２内に、パイプ部材（図示せず。）のような水抜き手段を挿入すれば、開いた状態になるようにされている。
【０１１３】
この水嚢１のように、複数の浮き上がり防止のための袋部４・・・の中、他方端ｅ２ｂに位置する、浮き上がり防止のための袋部４の下方位置に、水抜き弁ｖ２を設けた場合には、複数の袋部２・・・の各々内及び複数の浮き上がり防止のための袋部の各々４・・・の各々内に、水を入れ、水嚢として使用した後、この水嚢を片付ける際に、複数の浮き上がり防止のための袋部４・・・の中、他方端ｅ２ｂに位置する、浮き上がり防止のための袋部４の下方位置に設けられている、水抜き弁ｖ２を開くことにより、複数の袋部２・・・の各々内及び複数の浮き上がり防止のための袋部４・・・の各々内に収容されている水を、複数の袋部２・・・の各々内及び複数の浮き上がり防止のための袋部４・・・の各々内から容易に排出することができる。
【０１１４】
また、この水嚢１のように、複数の袋部２・・・の中、他方端ｅ２ｂに位置する、浮き袋部２の下方位置に、水抜き弁ｖ１を設け、且つ、複数の浮き上がり防止のための袋部４・・・の中、他方端ｅ２ｂに位置する、浮き上がり防止のための袋部４の下方位置に、水抜き弁ｖ２を設けた場合には、複数の袋部２・・・の各々内及び複数の浮き上がり防止のための袋部の各々４・・・の各々内に、水を入れ、水嚢として使用した後、この水嚢を片付ける際に、複数の袋部２・・・の中、他方端ｅ２ｂに位置する、袋部２の下方位置に設けられている、水抜き弁ｖ１と、複数の浮き上がり防止のための袋部４・・・の中、他方端ｅ２ｂに位置する、浮き上がり防止のための袋部４の下方位置に設けられている、水抜き弁ｖ２とを開くことにより、複数の袋部２・・・の各々内及び複数の浮き上がり防止のための袋部４・・・の各々内に収容されている水を、複数の袋部２・・・の各々内及び複数の浮き上がり防止のための袋部４・・・の各々内からより速やかにより容易に排出することができる。
【０１１５】
図１４は、図１１中、ＸＩＶで示す円部分を拡大して概略的に示す正面図である。
【０１１６】
また、図１５は、図１４中、ＸＶ−ＸＶ線に従う概略的な断面図である。
【０１１７】
この水嚢１Ｂは、複数の袋部２・・・の各々と複数の浮き上がり防止のための袋部４・・・の各々との接合部４ｃに、複数の浮き上がり防止のための袋部４・・・の各々内へ、外部から水を注入する注水孔ｈ６が設けられている。
【０１１８】
図１６は、水嚢１Ｂの使用例を例示的に説明する斜視図であり、また、図１７は、水嚢１Ｂの使用例を例示的に説明する側面図である。
【０１１９】
この水嚢１Ｂは、複数の袋部２・・・の各々の下位置に、接合部４ｃを介して、複数の浮き上がり防止のための袋部４・・・の各々を設けているので、例えば、河川等の水を堰き止めする際に、複数の浮き上がり防止のための袋部４・・・の各々を、河川等に、河川等の水の流れに対し、上流側に、張出すように設置し、複数の浮き上がり防止のための袋部４・・・の各々内に、水を注入し、更に、必要により、河川等に、河川等の水の流れに対し、上流側に、張出すように設置し、且つ、水を注入した複数の浮き上がり防止のための袋部４・・・の各々の上に、石その他の重しを載せる等すれば、水嚢１Ｂの底面と、河川等の川床との間を介して、河川等の水が、水嚢の下流側に漏れ出すことを確実に防ぐことができる。
【０１２０】
且つ、この水嚢１Ｂでは、複数の袋部２・・・の中、少なくとも、一方端ｅ２ａに位置する袋部２と、一方端ｅ２ａに位置する袋部２の下位置に設けられている浮き上がり防止のための袋部４との間に設けられている接合部４ｃには、一方端ｅ２ａに位置する袋部２内に注入された水を、一方端ｅ２ａに位置する袋部２の下位置に設けられている浮き上がり防止のための袋部４内に注水する注水孔ｈ５を設けおり、一方端ｅ２ａに位置する袋部２の注水孔ｈ２から、一方端ｅ２ａに位置する袋部２内に水を注入すると、連接されている複数の袋部２・・・の各々に、相隣り合う袋部２と袋部２との接合部２ｃに設けられている給水孔ｈ１を介して、水が注入されるようになっており、且つ、複数の浮き上がり防止のための袋部４の各々に、一方端ｅ２ａに位置する袋部２と、一方端ｅ２ａに位置する袋部２の下位置に設けられている浮き上がり防止のための袋部４との間に設けられている接合部４ｃに設けられている注水孔ｈ５、及び、相隣り合う、浮き上がり防止のための袋部４と浮き上がり防止のための袋部４との接合部５ｃに設けられている給水孔ｈ４を介して、水が注入されるようになっているので、一箇所からの注水作業で、複数の袋部２・・・の各々内及び複数の浮き上がり防止のための袋部４・・・の各々内への水の注入ができるので、複数の袋部２・・・の各々内及び複数の浮き上がり防止のための袋部４・・・の各々内への水の注入作業を容易に行うことができる。
【０１２１】
また、この水嚢１Ｂは、複数の袋部２・・・の各々と複数の浮き上がり防止のための袋部４・・・の各々との接合部４ｃに、複数の浮き上がり防止のための袋部４のいずれか内へ、外部から水を注入する注水孔ｈ５・・・を更に設けているので、複数の浮き上がり防止のための袋部４・・・の各々内への一方端ｅ２ａに位置する袋部２と、一方端ｅ２ａに位置する袋部２の下位置に設けられている浮き上がり防止のための袋部４との間に設けられている接合部４ｃに設けられている注水孔ｈ５、及び、相隣り合う、浮き上がり防止のための袋部４と浮き上がり防止のための袋部４との接合部５ｃに設けられている給水孔ｈ４を介する水の注入が不十分な際には、複数の袋部２・・・の各々と複数の浮き上がり防止のための袋部４・・・の各々との接合部４ｃに設けられている、複数の浮き上がり防止のための袋部４・・・の各々内に、外部から水を注入する注水孔ｈ６を利用して、複数の浮き上がり防止のための袋部４・・・の各々の中、水の注入が十分でない袋部４内に、水を注入することができる。
【０１２２】
尚、図１４中、Ｐで示す部材は、外部から水を注入する注水孔ｈ６を利用して、複数の浮き上がり防止のための袋部４・・・の各々の中、水の注入が十分でない袋部４内に、水を注入する際に使用する、給水パイプを示している。
【０１２３】
この水嚢１Ｂは、河川等の堰として利用する際は、例えば、図１６及び図１７に示すように、三脚支持部材１１に、水嚢１Ｂが寄りかかるようにして、使用する。
【０１２４】
この例では、複数の三脚支持部材１１、１１を使用し、複数の三脚支持部材１１、１１を連接すること、及び／又は、水嚢１Ｂを寄りかからせるためのパイプ部材１６、複数の三脚支持部材１１、１１を連接すること、及び／又は、水嚢１Ｂを吊るすためのパイプ部材１８を使用し、複数の三脚支持部材１１、１１を連接し、吊るし具１９・・・を用い、パイプ部材１８に吊るし具１９・・・のリング部１９ａを取り付け、且つ、水嚢１Ｂに設けられている吊るし孔ｈ３・・・の各々に、吊るし具１９・・・の引っ掛け部１９ｂを引っ掛けることで、パイプ部材１８に、水嚢１Ｂを吊るすようにしている。
【０１２５】
図１８は、三脚支持部材１１の構成部材、吊るし具１９・・・、三脚支持部材１１を連接すること、及び／又は、水嚢１Ｂを寄りかからせるためのパイプ部材１６、水嚢１Ｂを吊るすためのパイプ部材１８、三脚支持部材１１に、パイプ部材１６及び／又はパイプ部材１８を取り付ける取付具１７を概略的に示す図である。
【０１２６】
吊るし具１９は、一方に、パイプ部材１８に取り付けるためのリング部１９ａを備え、他方に、一部分が開口した引っ掛け部１９ｂを備える。
【０１２７】
三脚支持部材１１は、運搬の容易性や組み立ての容易性を考慮して、三脚接合具１２と、三脚接合具１２の３個の孔内に挿入するパイプ部材１３、１４、１５とから構成されている。
【０１２８】
また、図１９は、取付具１７を使用し、三脚支持部材１１のパイプ部材１４に、パイプ部材１６を取り付けた状態を概略的に示す斜視図である。
【０１２９】
取付具１７は、一対のパイプ部材を挟持すための挟持部１７ａ、１７ａを備える。
【０１３０】
また、一対の挟持部１７ａ、１７ａは、互いに回転可能なように接合されている。
【０１３１】
尚、図１９では、取付具１７を使用し、三脚支持部材１１のパイプ部材１４に、パイプ部材１６を取り付けた状態を概略的に示したが、他のパイプ部材と他のパイプ部材を接続する際にも、取付具１７を使用し、三脚支持部材１１のパイプ部材１４に、パイプ部材１６を取り付けた方法と、同様にして、他のパイプ部材と他のパイプ部材との接続を行うようにする。
【０１３２】
尚、実施例１や実施例２では、水嚢１及び実施例１Ａの各々として、複数の袋部２・・・の各々が、相隣り合う袋部２と袋部２との間に接合部２ｃ・・・を有し、接合部２ｃ・・・の各々は、給水孔ｈ１・・・を備え、水嚢１の接合部２ｃ・・・の各々の他方端ｅ２ｂ側の表面に、給水孔ｈ１よりも上の位置に、接合部２ｃ・・・の各々の表面に、弁体３を設けたものについて説明し、また、実施例３では、水嚢１Ｂとして、複数の浮き上がり防止のための袋部４・・・の各々が、相隣り合う袋部４と袋部４との間に接合部５ｃ・・・を有し、接合部５ｃ・・・の各々は、給水孔ｈ４・・・を備え、水嚢１の接合部５ｃ・・・の各々の他方端ｅ５ｂ側の表面に、給水孔ｈ４よりも上の位置に、接合部２ｃ・・・の各々の表面に、弁体３を設けたものについて説明したが、接合部２ｃ・・・や、接合部５ｃに設ける弁体は、弁体３に限定されることはない。
【０１３３】
図２０は、本発明に係る水嚢の他の一例の、複数の袋部の、相隣り合う袋部と袋部との接合部を中心にして概略的に示す、平面図である。
【０１３４】
また、図２１は、図２０に示す水嚢の製造工程を、複数の袋部の、相隣り合う袋部と袋部との接合部を中心にして模式的に説明する説明図である。
【０１３５】
この水嚢１Ｃは、以下の構成が異なる以外は、水嚢１と同様の構成を備えるので、水嚢１Ｃの構成部材中、水嚢１の構成部材に相当する構成部材については、水嚢１の構成部材に付した参照符号に相当する参照符号を付して、その説明を省略する。
【０１３６】
この水嚢１Ｃは、複数の袋部２・・・の、相隣り合う袋部２と袋部２との接合部２ｃに、接合部２ｃを貫通する、スリット状の孔部ｈ１ａ・・・を備える。
【０１３７】
そして、この水嚢１Ｃは、スリット状の孔部ｈ１ａ・・・の各々内に、袋状部材Ｐ２・・・の各々が、挿入されている。
【０１３８】
袋状部材Ｐ２は、複数の袋部２・・・の、相隣り合う袋部２と袋部２との接合部２ｃよりも、やや長い長さを有する、シート部材を２つ折にし、その長さ方向の一対の端部を封止したスリット状の貫通孔を有する。
【０１３９】
そして、袋状部材Ｐ２・・・の各々は、図２０及び図２１に示すように、その一方の先端が、複数の袋部２・・・の、相隣り合う袋部２と袋部２との接合部２ｃの下流側部から、複数の袋部２・・・の、相隣り合う袋部２の下流側に位置する袋部２側にはみ出すように設けられている。
【０１４０】
この水嚢１Ｃは、複数の袋部２・・・の、相隣り合う袋部２と袋部２との接合部２ｃ・・・の各々を貫通する、スリット状の孔部ｈ１ａ・・・を形成しているので、複数の袋部２・・・の一方端（上流側）から他方端（下流側）への水の注入を、スムーズに行うことができる。
【０１４１】
また、この水嚢１Ｃは、複数の袋部２・・・の、相隣り合う袋部２と袋部２との接合部２ｃ・・・の各々を貫通する、スリット状の孔部ｈ１ａ・・・の各々内に、複数の袋部２・・・の、相隣り合う袋部２と袋部２との接合部２ｃ・・・の各々よりも、やや長い長さを有する、シート部材を２つ折にし、その長さ方向の一対の端部を封止したスリット状の貫通孔を有する袋状部材Ｐ２・・・の各々を、その一方の先端が、複数の袋部２・・・の、相隣り合う袋部２と袋部２との接合部２ｃ・・・の各々の下流側部から、複数の袋部２・・・の、相隣り合う袋部２・・・の下流側に位置する袋部２側にはみ出すように設けているので、複数の袋部２・・・の一方端（上流側）から他方端（下流側）への水の注入は、スムーズに行うことができ、且つ、例えば、複数の袋部２・・・の一方端（上流側）から他方端（下流側）の間のある袋部２が破れた場合であっても、袋状部材Ｐ２・・・のスリット状の孔部ｈ１ａ・・・内に挿入され、その一方の先端が、複数の袋部２・・・の、相隣り合う袋部２と袋部２との接合部２ｃ・・・の各々の下流側部から、複数の袋部２・・・の、相隣り合う袋部２・・・の下流側に位置する袋部２・・・側にはみ出すように設けられている部分が閉じた状態になり、その結果、注水孔ｈ１ａ・・・の各々が確実に閉じた状態になり、注水孔ｈ１a・・・が、止水機能の高い、止水弁として機能を発揮する。
【０１４２】
尚、ここでは、水嚢１Ｃは、複数の袋部２・・・の、相隣り合う袋部２と袋部２との接合部２ｃ・・・の各々を貫通する、スリット状の孔部ｈ１ａ・・・の各々内に、複数の袋部２・・・の、相隣り合う袋部２と袋部２との接合部２ｃ・・・の各々よりも、やや長い長さを有する、シート部材を２つ折にし、その長さ方向の一対の端部を封止したスリット状の貫通孔を有する袋状部材Ｐ２・・・の各々を、その一方の先端が、複数の袋部２・・・の、相隣り合う袋部２と袋部２との接合部２ｃ・・・の各々の下流側部から、複数の袋部２・・・の、相隣り合う袋部２・・・の下流側に位置する袋部２側にはみ出すように設けたものについて説明したが、水嚢１Ｂのように、複数の袋部２・・・の中、少なくとも、一方端ｅ２ａに位置する袋部２と、一方端ｅ２ａに位置する袋部２の下位置に設けられている浮き上がり防止のための袋部４との間に設けられている接合部４ｃに、水嚢１Ｃの複数の袋部２・・・の、相隣り合う袋部２と袋部２との接合部２ｃ・・・の各々を貫通する、スリット状の孔部ｈ１ａ・・・の各々内に、複数の袋部２・・・の、相隣り合う袋部２と袋部２との接合部２ｃ・・・の各々よりも、やや長い長さを有する、シート部材を２つ折にし、その長さ方向の一対の端部を封止したスリット状の貫通孔を有する袋状部材Ｐ２・・・の各々を、その一方の先端が、複数の袋部２・・・の、相隣り合う袋部２と袋部２との接合部２ｃ・・・の各々の下流側部から、複数の袋部２・・・の、相隣り合う袋部２・・・の下流側に位置する袋部２側にはみ出すように設けたものを採用したものも、本発明に含まれる。
【０１４３】
また、図２１から明らかなように、複数の袋部２・・・の、相隣り合う袋部２と袋部２との接合部２ｃ・・・の各々を貫通する、スリット状の孔部ｈ１ａ・・・の各々内に、複数の袋部２・・・の、相隣り合う袋部２と袋部２との接合部２ｃ・・・の各々よりも、やや長い長さを有する、シート部材を２つ折にし、その長さ方向の一対の端部を封止したスリット状の貫通孔を有する袋状部材Ｐ２・・・の各々を、その一方の先端が、複数の袋部２・・・の、相隣り合う袋部２と袋部２との接合部２ｃ・・・の各々の下流側部から、複数の袋部２・・・の、相隣り合う袋部２・・・の下流側に位置する袋部２側にはみ出すように設けたものは、複数の袋部２・・・を構成する一対のシートＳｈＡ、ＳｈＢの一方のシートＳｈａの内表面上に、複数の袋部２・・・の、相隣り合う袋部２と袋部２との接合部２ｃ・・・の各々よりも、やや長い長さを有する、シート部材を２つ折にし、その長さ方向の一対の端部を封止したスリット状の貫通孔を有する袋状部材Ｐ２・・・の各々を、封止部Ａｄａ上の所定の位置に配置し、他方のシートＳｈｂの内表面上に設けた封止部Ａｄｂと、シートＳｈａの内表面上に設けた封止部Ａｄｂとを、例えば、接着剤を用いて接着止めしたり、または、熱融着させるだけで形成できるので、水嚢１Ｃには、水嚢１Ｃを製造するのが容易である、という特徴がある。
【産業上の利用可能性】
【０１４４】
本発明に係る水嚢は、運搬や保管が容易で、水嚢内への水の注入が簡単に行え、丈夫で、且つ、例えば、大雨や河川が氾濫したような場合に、浸水を防ぐ必要のある場所の、浸水を確実に防止したり、また、例えば、護岸工事をする際に、川を、一時的に、確実に、堰き止めしたりすることができるので、産業上の利用可能性が高い。
【図面の簡単な説明】
【０１４５】
【図１】本発明に係る水嚢の一例を概略的に示す正面図である。
【図２】図１に示す水嚢を、運搬又は保管する際の状態を、模式的に示す斜視図である。
【図３】図１に示す水嚢の構造を、複数の袋部の各々を膨らませた状態で、その上方向から下方向に見た状態を摸式的に示す平面図である。
【図４】図１に示す複数の袋部の各々に設けられている注水孔及びその周辺部を、概略的に示す図であり、図４（ａ）は、図１に示す複数の袋部の各々に設けられている注水孔及びその周辺部を、上方向から下方向に見た状態を概略的に示す平面図であり、また、図４（ｂ）は、図４（ａ）に示す、複数の袋部の各々に設けられている注水孔及びその周辺部を、概略的に示す斜視図である。
【図５】本発明に係る水嚢の、複数の袋部の各々に設けられている注水孔の他の一例及びその周辺部を、概略的に示す斜視図である。
【図６】本発明に係る水嚢の、複数の袋部２・・・の各々に設けられている注水孔ｈ２ａの製造工程を模式的に説明する説明図である。
【図７】図１中、ＶＩＩ−ＶＩＩ線に従う概略的な断面図である。
【図８】図１に示す水嚢の複数の袋部の相隣り合う袋部と袋部との接合部に設けられている給水孔及びその周辺を概略的に示す斜視図である。
【図９】図８中、ＩＸ−ＩＸ線に従う概略的な断面図である。
【図１０】本発明に係る水嚢の他の一例を概略的に示す側面図である。
【図１１】図１０に示す水嚢の使用例を例示的に説明する斜視図である。
【図１２】図１０に示す水嚢の使用例を例示的に説明する斜視図である。
【図１３】本発明に係る水嚢の他の一例を概略的に示す正面図である。
【図１４】図１３中、ＸＩＶで示す円部分を拡大して概略的に示す正面図である。
【図１５】図１４中、ＸＶ−ＸＶ線に従う概略的な断面図である。
【図１６】図１３に示す水嚢の使用例を例示的に説明する斜視図である。
【図１７】図１３に示す水嚢の使用例を例示的に説明する側面図である。
【図１８】三脚支持部材の構成部材、吊るし具、三脚支持部材を連接すること、及び／又は、図１３に示す水嚢を寄りかからせるためのパイプ部材、図１３に示す水嚢を吊るすためのパイプ部材１８、三脚支持部材に、パイプ部材を取り付ける取付具を概略的に示す図である。
【図１９】取付具を使用し、三脚支持部材のパイプ部材に、パイプ部材を取り付けた状態を概略的に示す斜視図である。
【図２０】本発明に係る水嚢の他の一例の、複数の袋部の、相隣り合う袋部と袋部との接合部を中心にして概略的に示す、平面図である。
【図２１】図２０に示す水嚢の製造工程を、複数の袋部の、相隣り合う袋部と袋部との接合部を中心にして模式的に説明する説明図である。
【図２２】図２２（ａ）は、従来の防災用ウォータフェンスの一例を概略的に示す斜視図であり、図２２（ｂ）は、図２２（ａ）は、従来の防災用ウォータフェンスに用いられている、台形に成型された鋼線を例示的に示す正面図であり、また、図２２（ｃ）は、図２２（ａ）中、ＸＸＩＩ−ＸＸＩＩ線に従う模式的な断面図である。
【図２３】従来の水嚢の一例を概略的に示す図であり、図２３（ａ）は、従来の水嚢の一例を概略的に示す平面図であり、図２３（ｂ）は、図２（ａ）中、ＸＸＩＩＩ−ＸＸＩＩＩ線に従う模式的な断面図である。
【図２４】図２３に示す、水嚢を概略的に示す斜視図である。
【図２５】図２４中、ＸＸＶ−ＸＸＶ線に従う概略的な断面図である。
【図２６】図２４に示す、水嚢の使用例を例示的に説明する断面図である。
【符号の説明】
【０１４６】
１、１Ａ、１Ｂ  水嚢  
２  袋部
３  弁体
４  浮き上がり防止のための袋部
２ｃ、４ｃ、５ｃ  接合部
ｈ１、ｈ４  給水孔
ｈ２、ｈ２ａ、ｈ５  注水孔
Ｓｂ  底面部
ｖ１、ｖ２  水抜き弁
【図１】
2008025097.tif 000003
【図２】
2008025097.tif 000004
【図３】
2008025097.tif 000005
【図４】
2008025097.tif 000006
【図５】
2008025097.tif 000007
【図６】
2008025097.tif 000008
【図７】
2008025097.tif 000009
【図８】
2008025097.tif 000010
【図９】
2008025097.tif 000011
【図１０】
2008025097.tif 000012
【図１１】
2008025097.tif 000013
【図１２】
2008025097.tif 000014
【図１３】
2008025097.tif 000015
【図１４】
2008025097.tif 000016
【図１５】
2008025097.tif 000017
【図１６】
2008025097.tif 000018
【図１７】
2008025097.tif 000019
【図１８】
2008025097.tif 000020
【図１９】
2008025097.tif 000021
【図２０】
2008025097.tif 000022
【図２１】
2008025097.tif 000023
【図２２】
2008025097.tif 000024
【図２３】
2008025097.tif 000025
【図２４】
2008025097.tif 000026
【図２５】
2008025097.tif 000027
【図２６】
2008025097.tif 000028